(57)【要約】      （修正有）【課題】保温と断熱が可能であり、かつ、同方向からの視覚変化を楽しむことの可能なカップ構造を提供する。【解決手段】カップ構造は、内カップと外カップ及び装飾パーツとからなり、内カップと外カップはカップ口又はネックで溶着され、下に向かって徐々に隔てられ、内カップ及び外カップ間にギャップを有し、内カップ及び外カップの底端間は、延伸棒を介して装飾パーツが設置されてあり、装飾パーツは延伸棒の一端を内カップの底端に粘着させ、内カップと共に外カップ内に装入し、内カップと外カップの上縁を溶融固定した後、外カップの小孔からゲルを注入する。【選択図】図２
0003160873.tif 000002
【実用新案登録請求の範囲】
【請求項１】
内カップと外カップと、装飾パーツからなるカップ構造であって、前記内カップと外カップはカップ口又はネックで溶着され、下に向かって徐々に隔てられ、前記内カップ及び外カップ間に空間（ギャップ）を有し、前記内カップ及び外カップの底端間には、延伸棒を介して、装飾パーツが設置されてあり、前記装飾パーツは、前記延伸棒の一端を前記内カップ外の底端に粘着し、前記内カップと共に、前記外カップ内に装入し、前記内カップと前記外カップの頂縁を溶融固定した後、前記外カップ底端の小孔から注入されるゲルによって、延伸棒の他端上に粘着することにより固定され、前記内カップと共に、前記外カップにより覆われていることを特徴とするカップ構造。
【請求項２】
前記内カップ、外カップ、延伸棒、装飾パーツはガラス材質であり、ガラスゲルの粘結により、前記装飾パーツが固定されることを特徴とする請求項１に記載のカップ構造。  
【請求項３】
前記内カップと前記外カップは、カップ口又はネックから下方になるほど、前記内カップ及び外カップ間の空間が拡大していることを特徴とする請求項１に記載のカップ構造。
【請求項４】
前記装飾パーツは魚、動物、人物、人形等を模した形状のいずれか又は組合せであることを特徴とする請求項１に記載のカップ構造。  
【請求項５】
前記装飾パーツは染色又はペイント塗布により彩られてなることを特徴とする請求項１に記載のカップ構造。
【請求項６】
前記内カップと前記外カップは縦断面が直線及び／又は曲線状であることを特徴とする請求項１に記載のカップ構造。  
【考案の詳細な説明】
【技術分野】
【０００１】
本考案は、保温と断熱ができるカップ構造に関するものであって、より詳しくは、同方向からの視覚変化を楽しむことができるカップ構造に関するものである。
【背景技術】
【０００２】
従来、保温断熱ができるカップ構造は、図６で示されるように、カップ２０本体から、内カップ２１と外カップ２２から構成されている（例えば、特許文献１参照）。内カップ２１と外カップ２２は、カップ口かネック部分から下が隔てられ、内カップ２１、外カップ２２間に、空間（ギャップ）２３を有する二層カップ構造になっている。そのため、カップ中の飲料温度を保ち、カップ断熱効果を得ることができる。しかし、このようなカップ２０は断熱効果があるものの、その外形は原形の外観と同じであり、後続変化に乏しく、デザインが単調である。
【先行技術文献】
【特許文献】
【０００３】
【特許文献１】実用新案登録第３００００２１号
【考案の開示】
【考案が解決しようとする課題】
【０００４】
本考案の目的は、内部に固定された装飾パーツを有することにより、同方向への視点移動による外観の変化（以下、視覚変化という。）が楽しめるカップ構造を提供することにある。
【０００５】
また、本考案の他の目的は、装飾パーツを用いた外観の変化により、カップの機能と用途以外に、視覚変化が楽しめるカップ構造を提供することにある。
【０００６】
さらに本考案の他の目的は、装飾パーツを内カップ及び外カップ間に設置して、外カップで保護し、装飾パーツが衝撃を受けても損傷を防止しうるカップ構造を提供することにある。
【課題を解決するための手段】
【０００７】
本考案のカップ構造は、請求項１によれば、
内カップと外カップと、装飾パーツからなるカップ構造であって、前記内カップと外カップはカップ口又はネックで溶着され、下に向かって徐々に隔てられ、前記内カップ及び外カップ間に空間（ギャップ）を有し、前記内カップ及び外カップの底端間には、延伸棒を介して、装飾パーツが設置されており、前記装飾パーツは、前記延伸棒の一端を前記内カップ外の底端に粘着し、前記内カップと共に、前記外カップ内に装入し、前記内カップ、前記外カップ頂縁を溶融固定した後、前記外カップ底端の小孔から注入されるゲルによって、延伸棒の他端上に粘着することにより固定され、前記内カップと共に、前記外カップにより覆われていることを特徴とするカップ構造が提供される。
【０００８】
請求項２の考案によれば、
前記内カップ及び外カップ、延伸棒、装飾パーツはガラス材質であり、ガラスゲルの粘結により、前記装飾パーツが固定されることを特徴とする請求項１に記載のカップ構造が提供される。
【０００９】
請求項３の考案によれば、
前記内カップと前記外カップは、カップ口又はネックから下方になるほど、前記内カップ及び外カップ間の空間が拡大していることを特徴とする請求項１に記載のカップ構造が提供される。
【００１０】
請求項４の考案によれば、
前記装飾パーツは魚、動物、人物、人形等を模した形状のいずれか又は組合せであることを特徴とする請求項１に記載のカップ構造が提供される。
【００１１】
請求項５の考案によれば、
前記装飾パーツは染色又はペイント塗布により彩られてなることを特徴とする請求項１に記載のカップ構造が提供される。
【００１２】
請求項６の考案によれば、
前記内カップと前記外カップは縦断面が直線及び／又は曲線状であることを特徴とする請求項１に記載のカップ構造が提供される。
【考案の効果】
【００１３】
本考案は、内部に固定された装飾パーツを有するので、視覚を変化を楽しむことができる。しかも、装飾パーツは、全体が内カップ及び外カップ間で保護されているので耐久性がある。
【図面の簡単な説明】
【００１４】
【図１】本考案の一実施態様の立体組み合わせ図である。
【図２】本考案の立体分解図である。
【図３】本考案の組み合わせ平面図である。
【図４】本考案の装飾パーツを考えた他の実施態様を示す立体組合せ図である。
【図５】本考案の内カップ及び外カップの外形を変えた他の実施態様を示す立体組合せ図である。
【図６】公知のカップの一例を示す立体外観図である。
【考案を実施するための最良の形態】
【００１５】
以下、本考案の具体的な実施態様を図１〜５を用いて説明する。
【００１６】
図１〜図３で示されるように、本考案のカップ構造１０は、内カップ１１と外カップ１２と装飾パーツ１５からなり、内カップ１１と外カップ１２はカップ口又はネックから下に向かって隔てられ、内カップ及び外カップ１１、１２間にギャップ１３を有している。      
【００１７】
内カップ及び外カップ１１、１２の底端間には、延伸棒１４を介して、装飾パーツ１５が設置されている。装飾パーツ１５の設置にあたっては、まず、一端の延伸棒１４を内カップ１１外の底端に粘着し、内カップ１１と共に、外カップ１２中に装入し、内カップ１１、外カップ１２の頂縁を溶融固定した後、外カップ１２底端の小孔１２１からゲル（ガラスゲル）を注入し、他端の延伸棒１４上に粘着する。これにより、装飾パーツ１５が、内カップ１１と共に固定され、外カップ１２により覆われることになる。
【００１８】
なお、外カップは、透明であるか半透明であることが望ましい。また、内カップ及び外カップや装飾パーツの材質は、ガラス又はプラスチックが好ましい。
【００１９】
上述の構造により、内カップ１１は飲料等の収容部位になり、外カップ１２はコップを維持する部位になる。内カップ及び外カップ１１、１２間には空間（ギャップ）１３を有するので、内カップ１１中に入れた飲料から外カップ１２に熱を伝導せず、保温効果を維持する。本構造は、内部に固定された装飾パーツ１５により、カップ１０に視覚変化を提供する。
【００２０】
カップ１０内の装飾パーツ１５は、図１〜図３で示される魚や、動物、人物、又は、図４で示される天使等のデザイン以外に植物、乗物、建物など用いてもよい。また、着色によって、装飾パーツ１５を更に装飾し、その変化に富む。内カップ１１と外カップ１２は、図５のように縦断面を曲線に設計することもできるようにしてもよい。なお、外カップの底縁は、平坦でもよいが、盛り上げるようにすることが好ましい。
【００２１】
上述の具体例の構造により、内部に固定された装飾パーツにより、同方向からの視覚を大幅に変化させることができ、カップの機能と用途以外に、視覚変化が楽しめる。
【００２２】
本考案では好ましい具体例を前述の通り開示したが、これらは決して本考案に限定するものではなく、本考案の目的を逸脱しない範囲内で各種の改変を加えることができる。
【符号の説明】
【００２３】
本考案
１０    カップ
１１    内カップ
１２    外カップ
１２１  小孔
１３    ギャップ
１４    延伸棒
１５    装飾パーツ
公知技術
２０    カップ
２１    内カップ
２２    外カップ
２３    ギャップ
【図１】
0003160873.tif 000003
【図２】
0003160873.tif 000004
【図３】
0003160873.tif 000005
【図４】
0003160873.tif 000006
【図５】
0003160873.tif 000007
【図６】
0003160873.tif 000008
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
内カップと外カップと、装飾パーツからなるカップ構造であって、前記内カップと外カップはカップ口又はネックで溶着され、下に向かって徐々に隔てられ、前記内カップ及び外カップ間に空間（ギャップ）を有し、前記内カップ及び外カップの底端間には、延伸棒を介して、装飾パーツが設置されてあり、前記装飾パーツは、前記延伸棒の一端を前記内カップ外の底端に粘着し、前記内カップと共に、前記外カップ内に装入し、前記内カップと前記外カップの頂縁を溶融固定した後、前記外カップ底端の小孔から注入されるゲルによって、延伸棒の他端上に粘着することにより固定され、前記内カップと共に、前記外カップにより覆われていることを特徴とするカップ構造。
【請求項２】
前記内カップ、外カップ、延伸棒、装飾パーツはガラス材質であり、ガラスゲルの粘結により、前記装飾パーツが固定されることを特徴とする請求項１に記載のカップ構造。  
【請求項３】
前記内カップと前記外カップは、カップ口又はネックから下方になるほど、前記内カップ及び外カップ間の空間が拡大していることを特徴とする請求項１に記載のカップ構造。
【請求項４】
前記装飾パーツは、魚、動物、人物又は人形を模した形状のいずれか又は組合せであることを特徴とする請求項１に記載のカップ構造。  
【請求項５】
前記装飾パーツは染色又はペイント塗布により彩られてなることを特徴とする請求項１に記載のカップ構造。
【請求項６】
前記内カップと前記外カップは縦断面が直線及び／又は曲線状であることを特徴とする請求項１に記載のカップ構造。